(57)【要約】【課題】払拭体とモップ柄体の着脱に手間と時間のかからないモップが求められている。【解決手段】モップ１は、基布４の下面に多数のモップ糸９，９，９，・・・が植設されているとともに基布４の上面に袋開口６を有する袋部５が基布４上面に沿って設けられている払拭体２と、払拭体２の袋開口６から袋部５内に挿入される舌片部１５を有するモップ柄体３とを備えたモップにおいて、袋部５の袋開口６に臨む基布４の上面に面ファスナの鉤体またはループ体１３を設け、袋部５内の所定位置までモップ柄体３の舌片部１５を挿入したときに基布４上面の鉤体またはループ体１３と対面する位置の舌片部１５下面に、基布４上面の鉤体またはループ体１３と係脱可能に係合する面ファスナのループ体または鉤体１８を設けた構成にしてある。【選択図】      図２
2004173918.tif 000002
【特許請求の範囲】
【請求項１】
基布の下面に多数のモップ糸が植設されているとともに基布の上面に袋開口を有する袋部が基布上面に沿って設けられている払拭体と、払拭体の袋開口から袋部内に挿入される舌片部を有するモップ柄体とを備えたモップにおいて、袋部の袋開口に臨む基布の上面に面ファスナの鉤体またはループ体を設け、袋部内の所定位置までモップ柄体の舌片部を挿入したときに基布上面の鉤体またはループ体と対面する位置の舌片部下面に、基布上面の鉤体またはループ体と係脱可能に係合する面ファスナのループ体または鉤体を設けたことを特徴とするモップ。
【請求項２】
基布の下面に多数のモップ糸が植設されているとともに基布の上面に袋開口を有する袋部が基布上面に沿って設けられている払拭体と、払拭体の袋開口から袋部内に挿入される舌片部を有するモップ柄体とを備えたモップにおいて、袋部の袋開口に臨む基布の上面に面ファスナのループ体を設け、袋部内の所定位置までモップ柄体の舌片部を挿入したときに基布上面のループ体と対面する位置の舌片部下面に、基布上面のループ体と係脱可能に係合する鉤体を舌片部と一体に形成したことを特徴とするモップ。
【発明の詳細な説明】
【０００１】
【発明の属する技術分野】
本発明は、多数のモップ糸が植設された払拭体と、払拭体に着脱可能に装着されるモップ柄体とを備えてなるハンディーなモップに関するものである。
【０００２】
【従来の技術】
従来、この種のモップとしては下記の特許文献１（文献中の図１３参照）に記載されたものが知られている。かかる文献記載のモップ５１は、図７に示すように、基布４の下面に多数のモップ糸９，９，９，・・・が植設され基布４の上面に袋開口６を有する袋部５が設けられた払拭体５２と、払拭体５２の袋部５内に挿入される舌片部１５を有するモップ柄体５３とを備えている。基布４の後上面１０には留め紐５４が縫着されている。
このモップ５１では、モップ柄体５３の舌片部１５を袋開口６から袋部５内に挿入したのち、留め紐５４をモップ柄体５３の取手部１４にくくり付けて使用するようになっている。一方、汚れた払拭体５２を交換するときは、留め紐５４をほどきモップ柄体５３を袋部５から抜いて新しいものと交換するようになっている。
【０００３】
【特許文献１】
特開２０００−２１０２３９号公報
【０００４】
【発明が解決しようとする課題】
ところで、上記文献記載のモップ５１は、払拭体５２の固定時に留め紐５４の結び作業が必要であるため、払拭体５２の固定に手間と時間がかかる。因みに、業務としての払拭作業に用いる場合は多数の払拭体５２を取り替えて使用しなければならないが、取り替え作業が間に合わないことがあった。また、結んだ留め紐５４が被払拭物に引っ掛かって、結び目がほどけたり、逆に結び輪が無くなってほどけなくなることがあり、留め紐５４の結び目も見た目によくない。
【０００５】
本発明は、上記した従来の問題点に鑑みてなされたものであって、払拭体とモップ柄体の着脱に手間と時間のかからないモップの提供を目的とする。
【０００６】
【課題を解決するための手段】
上記目的を達成するために、本発明に係るモップは、基布の下面に多数のモップ糸が植設されているとともに基布の上面に袋開口を有する袋部が基布上面に沿って設けられている払拭体と、払拭体の袋開口から袋部内に挿入される舌片部を有するモップ柄体とを備えたモップにおいて、袋部の袋開口に臨む基布の上面に面ファスナの鉤体またはループ体を設け、袋部内の所定位置までモップ柄体の舌片部を挿入したときに基布上面の鉤体またはループ体と対面する位置の舌片部下面に、基布上面の鉤体またはループ体と係脱可能に係合する面ファスナのループ体または鉤体を設けた構成にしてある。
【０００７】
また、基布の下面に多数のモップ糸が植設されているとともに基布の上面に袋開口を有する袋部が基布上面に沿って設けられている払拭体と、払拭体の袋開口から袋部内に挿入される舌片部を有するモップ柄体とを備えたモップにおいて、袋部の袋開口に臨む基布の上面に面ファスナのループ体を設け、袋部内の所定位置までモップ柄体の舌片部を挿入したときに基布上面のループ体と対面する位置の舌片部下面に、基布上面のループ体と係脱可能に係合する鉤体を舌片部と一体に形成したものである。
【０００８】
【発明の実施の形態】
本発明の実施の形態を図面に基づいて説明する。ここに、図１は本発明の一実施形態に係るモップを示す斜視図、図２は前記モップを構成するモップ柄体の底面図と払拭体の平面図、図３は前記モップ柄体の側面図である。
各図において、この実施形態に係るモップ１は、基布４の下面に多数のモップ糸９，９，９，・・・が植設された払拭体２と、払拭体２に着脱可能に装着されるモップ柄体３とから成っている。
【０００９】
払拭体２には、基布４上面の途中に袋開口６を有する袋部５が、基布４の上面に沿って配設されている。基布４および袋部５は例えばポリエステル製の厚手の織布を使用して形成され、基布４は平面視長円形状に裁断されている。基布４はバイアス布７で縫目８のように縁取りされているが、袋部５の縁部も基布４の縁部と合わせられ同時に縫着されている。基布４における袋開口６よりも後方の上面は、袋開口６に臨んで露出している後上面１０となっている。モップ糸９は例えばポリエステル・綿の混紡糸を撚った撚り糸が使用され、撚りが戻らないように加熱加工が施されている。モップ柄体３は合成樹脂などで構成されていて、払拭体２の袋開口６から袋部５内に挿入される舌片部１５と、舌片部１５から後方に延在する取手部１４を有している。
【００１０】
そして、前記した後上面１０には、面ファスナ１９（図４参照）のループ側部材１１が縫着されている。ループ側部材１１は例えばナイロン製であり、ファスナ基布１２と、ファスナ基布１２の片面に植設された多数のループ体１３，１３，１３，・・・とから成っている。
一方、舌片部１５の下面後部には、前記したループ側部材１１と係脱可能に係合する面ファスナ１９の鉤側部材１６が設けられている。鉤側部材１６も例えばナイロン製であり、ファスナ基布１７と、ファスナ基布１７の片面に植設された多数の鉤体１８，１８，１８，・・・とから成っている。舌片部１５下面における鉤側部材１６の取付け位置は、舌片部１５の先端を袋部５内前端の最奥部まで挿入したときに鉤側部材１６が後上面１０のループ側部材１１と対面する位置である。鉤側部材１６は、接着剤を用いてあるいは熱溶着により舌片部１５の下面に固着されている。
【００１１】
上記のように構成されたモップ１において、新たにまたは交換のために払拭体２をモップ柄体３に装着する場合を示す。まず、基布４の後上面１０を指で図４のように下向き（矢印Ｄ方向）に屈曲させる。この状態で、他方の手に持ったモップ柄体３の舌片部１５を袋開口６から袋部５内に差し込む（矢印Ｆ方向）。そのうち、舌片部１５の先端が袋部５内前端の最奥部に当接して止まる。この場合、ループ側部材１１は袋開口６よりも下方位置にあるため、舌片部１５側の鉤側部材１６はループ側部材１１と接触・干渉せず、舌片部１５の先端は袋部５内の前端まで円滑に導かれる。
【００１２】
そこで、基布４の後上面１０から指を離すと、後上面１０は自身の弾性復元力により上向き（矢印Ｕ方向）に戻る。このとき、ループ側部材１１のループ体１３，１３，１３，・・・の上方対面位置には、鉤側部材１６の鉤体１８，１８，１８，・・・が存在するので、図５（図１に対応している）に示すように、ループ体１３，１３，１３，・・・が鉤体１８，１８，１８，・・・と係合してモップ柄体３が払拭体２に固定される。すなわち、図５のように、舌片部１５の先端が袋部５内前端の最奥部に当接して止まった舌片部１５の位置が、本発明にいう「袋部内の所定位置」の一例である。
【００１３】
上記したように、このモップ１は、モップ柄体３の舌片部１５を払拭体２の袋部５内に差し込むだけで、面ファスナ１９のループ側部材１１と鉤側部材１６が係合してモップ柄体３と払拭体２が固定される。払拭作業にあたっては、被払拭物に押し付けられる払拭体２と、力が加えられるモップ柄体３との間に、係合状態のループ側部材１１および鉤側部材１６が存在しているため、モップ柄体３と払拭体２はしっかりと固定されて離れない。また、係合状態の面ファスナ１９は舌片部１５と基布４の間に隠れて外から見えないので、モップ全体の外観がシンプルで見た目がよく、払拭作業中に被払拭物が面ファスナ１９に触れて支障を生じるといったこともない。
【００１４】
一方、払拭体２を取り替える場合は、基布４の後上面１０を指で下向き（図４中の矢印Ｄ方向）に曲げて鉤側部材１６からループ側部材１１を引き剥がしたのち、モップ柄体３を矢印Ｆの反対方向に引くことにより、払拭体２をモップ柄体３から取り外すことができる。従って、払拭体２をいとも簡単に取り替えることができ、直ちに使用することができる。このように、モップ１は払拭体２の取り替えに手間と時間がかからないので、業務用のモップとして特に好適となる。
【００１５】
尚、上記の実施形態では、舌片部１５の下面に、別体である鉤側部材１６を取付けたモップ柄体３を例示したが、本発明はそれに限定されるものでなく、例えば図６に示すようなモップ柄体３ａも本発明に含まれる。モップ柄体３ａは合成樹脂製であり、略キノコ形状の鉤体１８ａが舌片部１５と一体に金型で成型されている。また、この鉤体１８ａは既述した鉤側部材１６の取付位置とほぼ同じ位置で舌片部１５下面に設けられている。鉤体１８ａは成型品であることによる強度低下を考慮し、既述した鉤体１８よりも太く形成されている。
このモップ柄体３ａによれば、モップ柄体への鉤体の取付け作業が不要となり、製作にかかる手間とコストを低減化することができる。
【００１６】
また、上記では、モップ柄体３，３ａの舌片部１５側に面ファスナの鉤体１８，１８ａを配し、払拭体２の基布４側にループ体１３を配したが、本発明はそれに限定されるものでなく、例えば、モップ柄体の舌片部に面ファスナのループ体を配し、払拭体の基布に鉤体を配してもよい。
そして、面ファスナの一方の部材が設けられる基布４上の位置は袋開口６の後方（後上面１０）に限らず、袋開口６の真下位置、あるいは袋部５内の袋開口６近傍位置であっても構わない。
【００１７】
【発明の効果】
以上詳述したように、本発明に係るモップによれば、袋部の袋開口に臨む基布の上面に面ファスナの一方の部材を設け、舌片部下面の所定の位置に面ファスナの他方の部材を設けてあるので、モップ柄体の舌片部を払拭体の袋部内に差し込むだけで、面ファスナが係合して払拭体とモップ柄体を簡単に固定することができる。そして、面ファスナの一方の部材から他方の部材を引き剥がして舌片部を抜くだけで、払拭体をモップ柄体から簡単に取り出すことができる。従って、手間と時間をかけることなく簡単に払拭体を取り替えることができる。また、モップ全体の外観もシンプルで見た目がよい。
【００１８】
更に、面ファスナのループ体と係合する鉤体をモップ柄体の舌片部と一体に形成した場合は、モップ柄体の製作にかかる手間が省ける。
【図面の簡単な説明】
【図１】本発明の一実施形態に係るモップを示す斜視図である。
【図２】前記モップを構成するモップ柄体の底面図と払拭体の平面図である。
【図３】前記モップ柄体の側面図である。
【図４】前記モップ柄を払拭体に装着する途中の態様を示す一部側断面を含む説明図である。
【図５】前記モップ柄を払拭体に装着し終えた態様を示す一部側断面を含む説明図である。
【図６】別の実施形態に係るモップ柄体を示す側面図である。
【図７】従来のモップのモップ柄を払拭体に装着した態様を示す一部側断面を含む説明図である。
【符号の説明】
１      モップ
２      払拭体
３，３ａ  モップ柄体
４      基布
５      袋部
６      袋開口
９      モップ糸
１０    後上面
１１    ループ側部材
１２    ファスナ基布
１３    ループ体
１５    舌片部
１６    鉤側部材
１７    ファスナ基布
１８，１８ａ  鉤体
１９    面ファスナ
Ｆ      矢印
【図１】
2004173918.tif 000003
【図２】
2004173918.tif 000004
【図３】
2004173918.tif 000005
【図４】
2004173918.tif 000006
【図５】
2004173918.tif 000007
【図６】
2004173918.tif 000008
【図７】
2004173918.tif 000009